(57)【要約】  衣類収納装置に設置可能なスマート着衣提示装置であって、衣類収納装置内の衣類に固定された電子タグに記憶されている衣類情報を読み取る近距離無線識別モジュールと、近距離無線識別モジュールに接続され、近距離無線識別モジュールが取得した衣類情報に基づいて関連の着衣提案情報を取得し、ユーザに提示する制御モジュール、を含む。本発明では、衣類収納装置内の衣類の状況に基づいて関連の着衣提案情報を取得してユーザに提示する。これにより、生活が便利となり、適切な着衣の選択が補助される。且つ、本発明は、当該スマート着衣提示装置が設けられたクローゼットと、当該クローゼットの制御方法を更に提供する。【選択図】図１
2020523669.tif 000002
【特許請求の範囲】
【請求項１】
衣類収納装置に設置可能なスマート着衣提示装置であって、
衣類収納装置内の衣類に固定された電子タグに記憶されている衣類情報を読み取る近距離無線識別モジュールと、
前記近距離無線識別モジュールに接続され、近距離無線識別モジュールが取得した衣類情報に基づいて関連の着衣提案情報を取得し、ユーザに提示する制御モジュール、を含むことを特徴とするスマート着衣提示装置。
【請求項２】
更に、通信モジュールを含み、前記通信モジュールは、通信接続することで、前記着衣提案を得るための根拠となる着衣条件情報を取得することを特徴とする請求項１に記載のスマート着衣提示装置。
【請求項３】
前記通信モジュールは、通信接続することで、現在の着衣流行情報及び／又は天気予報情報及び／又はユーザが入力する着衣要求情報を取得し、これを制御モジュールが着衣提案を得る過程で根拠とする着衣条件情報として制御モジュールに送信し、
好ましくは、前記ユーザが入力する着衣要求情報は、衣類の使用場面情報、季節情報、衣類コーディネートスタイル情報を含むことを特徴とする請求項２に記載のスマート着衣提示装置。
【請求項４】
更に、クラウドサーバを含み、前記制御モジュールは通信モジュールを介してクラウドサーバに接続され、前記クラウドサーバはスマート端末と通信接続し、前記クラウドサーバは、着衣流行情報及び／又は天気予報情報を通信モジュール及び／又はスマート端末に送信するとともに、制御モジュールが送信した関連の着衣提案情報を受信して、スマート端末にプッシュ送信することでユーザに提示することを特徴とする請求項１〜３のいずれかに記載のスマート着衣提示装置。
【請求項５】
前記電子タグ内には衣類に対応する衣類情報コードが記憶されており、前記衣類情報コードとは、衣類の各種属性情報をそれぞれ表す複数のサブコードを直列に組み合わせて形成される総情報コードであり、前記制御モジュールは、近距離無線識別モジュールから送信された各電子タグ内に記憶されている衣類情報コードを受信すると、前記各衣類情報コードを前記複数のサブコードにそれぞれ分解し、各サブコードについて具体的情報をマッチングすることで、各衣類情報コードが表す具体的な衣類情報を取得することを特徴とする請求項１に記載のスマート着衣提示装置。
【請求項６】
前記スマート着衣提示装置は、具体的な各サブコードと、これらが表す具体的な衣類属性情報との対応関係を記憶する記憶モジュールを更に含み、前記制御モジュールは、前記対応関係に基づいて、衣類情報コードの各サブコードが表す具体的な属性情報をマッチングすることを特徴とする請求項５に記載のスマート着衣提示装置。
【請求項７】
請求項１〜６のいずれかに記載のスマート着衣提示装置が設けられたクローゼットであって、
衣類を保管する筐体を含み、前記近距離無線識別モジュールは、筐体の内部に設けられて、筐体の内部空間全体をカバーするＲＦ信号を発信可能であり、前記制御モジュールと通信モジュールは、筐体の内部に設けられるか、筐体の外部に設けられ、
好ましくは、前記クローゼットは、前記着衣提案情報を表示するための表示デバイスを更に含むことを特徴とするクローゼット。
【請求項８】
請求項７に記載のクローゼットに応用される制御方法であって、
制御モジュールは、着衣条件情報を受信すると、近距離無線識別モジュールがクローゼット内の全ての衣類の衣類情報を取得するよう制御するとともに、前記着衣条件情報と各衣類情報に基づきデータ分析処理を行うことで、前記着衣条件を満たす着衣提案情報を取得してユーザに提示することを特徴とする制御方法。
【請求項９】
請求項８に記載のクローゼットに応用される制御方法であって、
前記着衣条件情報は、ユーザが入力する衣類使用場面情報を含み、前記制御モジュールは、前記衣類使用場面情報に基づいて着衣の提案を取得し、
好ましくは、前記着衣条件情報は、通信モジュールが取得する現在の着衣流行情報及び／又は天気予報情報を更に含むことを特徴とする制御方法。
【請求項１０】
前記制御モジュールは、各着衣条件情報に基づき、ユーザが選択できるよう複数の着衣プランを取得し、前記制御モジュールは、ユーザの選択結果に基づいてユーザの着衣の好みを分析するとともに、ユーザの着衣の好みに基づいて、その後に推薦する着衣プランを適正化することを特徴とする請求項８又は９に記載の制御方法。
【請求項１１】
上記のその後に推薦する着衣プランを適正化する際に、制御モジュールは、ユーザの着衣の好みに基づいて、ユーザが好む着衣プランを優先的に推薦し、
好ましくは、前記制御モジュールは、前記複数の着衣プランをユーザの好みに基づいて降順に並べ替え、ユーザに推薦することを特徴とする請求項１０に記載の制御方法。
【請求項１２】
前記制御モジュールは、更に、ユーザの好みに基づきユーザの好みに合う新作衣類をユーザに推薦して、ユーザが選択及び購入するよう提示し、
好ましくは、前記制御モジュールは、関連の着衣提案情報を未取得の場合には、通信モジュールが取得した新作衣類情報に基づいて上記のユーザの好みに合う新作衣類をユーザに推薦し、ユーザが選択及び購入するよう提示することを特徴とする請求項１１に記載の制御方法。
【請求項１３】
前記制御モジュールは、天気予報情報の季節情報及び／又は気温情報及び／又は降雨量情報及び／又は降雪量情報に基づき、衣類情報を組み合わせて、着衣提案情報及び／又は着衣コーディネート提案情報及び／又は衣類購入提案情報を生成し、前記提案情報を表示装置又はスマート端末にプッシュ送信してユーザに提示することを特徴とする請求項９に記載の制御方法。
【請求項１４】
制御モジュールは、前記天気予報情報が予め定められたトリガ条件を満たしているか否かを判断し、判断結果がＹＥＳの場合には、前記提案情報を取得してユーザに提示するよう制御し、
好ましくは、前記制御モジュールは、前記天気予報情報が予め定められたトリガ条件を満たしているか否かを判断する際に、天気予報情報に基づいて、その後一定時間内の気温の変動幅、又は降雨量の変動幅、又は降雪量の変動幅が所定の変動範囲に達しているか否かを計算し、判断結果がＹＥＳの場合には、前記天気予報情報が予め定められたトリガ条件を満たしていると判断し、ＮＯの場合には、前記天気予報情報が予め定められたトリガ条件を満たしていないと判断することを特徴とする請求項１３に記載の制御方法。
【請求項１５】
前記制御モジュールは、前記天気予報情報に基づいて対応する着衣パラメータを生成し、前記着衣パラメータは衣類の各種属性情報を含み、前記制御モジュールは、前記着衣パラメータをクローゼット内の各衣類の衣類情報とそれぞれ比較及びマッチングし、衣類情報が着衣パラメータと一致する少なくとも１着の衣類を目的の衣類として取得し、当該目的の衣類の衣類情報をユーザにプッシュ送信して、ユーザが選択及び着用するよう提案し、
好ましくは、衣類情報が前記着衣パラメータと一致する目的の衣類を得られない場合には、ユーザに対し衣類を購入又は追加するよう提示するとともに、ユーザが衣類を購入する際の参照情報として前記着衣パラメータをユーザにプッシュ送信することを特徴とする請求項１３又は１４に記載の制御方法。
【発明の詳細な説明】
【技術分野】
【０００１】
本発明は、家電製品の分野に関し、具体的には、スマート着衣提示装置、クローゼット及びその制御方法に関する。
【背景技術】
【０００２】
従来の衣類収納装置はユーザの衣類を置くためだけに用いられていた。ところで、ユーザの衣類が多い場合、ユーザは天気の変化に応じて多くの衣類の中から適切な衣類を選ばなくてはならない。しかし、各衣類を収納装置に保管している場合、ユーザは着衣に適する全ての衣類を素早く取り出すことができない。そのため、衣類によってはユーザに発見されることなくクローゼットに保管されたままとなり、いたずらに収納装置内に放置されてしまう。
【０００３】
一方で、クローゼットは常用される衣類収納装置であり、従来技術にはスマートクローゼットに関する特許が存在する。例えば、特許文献１は、筐体（１）を含むスマートクローゼットを開示している。前記筐体（１）には、ＲＦＩＤリーダ（４）、ディスプレイ（５）及び通電後に発生する磁場が筐体（１）全体をカバーすることで筐体（１）内のＲＦＩＤチップ（６）が装着された衣類を検出可能なＲＦＩＤアンテナ（３）が設けられている。前記ＲＦＩＤアンテナ（３）は前記ＲＦＩＤリーダ（４）に電気的に接続され、前記ＲＦＩＤリーダ（４）は前記ディスプレイ（５）に電気的に接続される。また、前記ＲＦＩＤリーダ（４）とディスプレイ（５）はいずれも電源に接続される。当該スマートクローゼットは、クローゼット内のＲＦＩＤチップが設けられた衣類を表示可能である。しかし当該特許文献では、クローゼット内の衣類の情報を読み取り可能とする旨を開示しているにすぎず、当該衣類情報に基づいてユーザに着衣を推薦するものではない。ユーザは、ディスプレイ上で衣類情報をチェックしてから適切な衣類を選ぶしかなく、この過程はやや煩雑である。
【０００４】
上記に鑑みて、本発明を提案する。
【先行技術文献】
【特許文献】
【０００５】
【特許文献１】中国実用新案第２０１０２０５３９４５９．６号明細書
【発明の概要】
【発明が解決しようとする課題】
【０００６】
本発明は、従来技術の瑕疵を解消し、衣類収納装置に設置及び装着可能であって、収納装置内の衣類情報を読み取るとともに、天気予報情報に基づいて関連の着衣を取得してユーザに提案するスマート着衣提示装置を提供することを解決しようとする技術的課題とする。
【課題を解決するための手段】
【０００７】
上記の技術的課題を解決すべく、本発明で採用する技術方案の基本思想について以下に述べる。
【０００８】
衣類収納装置に設置可能なスマート着衣提示装置であって、衣類収納装置内の衣類に固定された電子タグに記憶されている衣類情報を読み取る近距離無線識別モジュールと、前記近距離無線識別モジュールに接続され、近距離無線識別モジュールが取得した衣類情報に基づいて関連の着衣提案情報を取得し、ユーザに提示する制御モジュール、を含む。
【０００９】
好ましくは、前記スマート着衣提示装置は、通信モジュールを更に含み、前記通信モジュールは、通信接続することで、前記着衣提案を得るための根拠となる着衣条件情報を取得する。
【００１０】
好ましくは、前記通信モジュールは、通信接続することで、現在の着衣流行情報及び／又は天気予報情報及び／又はユーザが入力する着衣要求情報を取得し、これを制御モジュールが着衣提案を得る過程で根拠とする着衣条件情報として制御モジュールに送信する。好ましくは、前記ユーザが入力する着衣要求情報は、衣類の使用場面情報、季節情報、衣類コーディネートスタイル情報を含む。
【００１１】
好ましくは、前記スマート着衣提示装置は、更に、クラウドサーバを含む。前記制御モジュールは通信モジュールを介してクラウドサーバに接続され、前記クラウドサーバはスマート端末と通信接続する。前記クラウドサーバは、着衣流行情報及び／又は天気予報情報を通信モジュール及び／又はスマート端末に送信するとともに、制御モジュールが送信した関連の着衣提案情報を受信して、スマート端末にプッシュ送信することでユーザに提示する。
【００１２】
本発明は、更に、前記スマート着衣提示装置が設けられたクローゼットを提供する。当該クローゼットは、衣類を保管する筐体を含む。前記近距離無線識別モジュールは、筐体の内部に設けられて、筐体の内部空間全体をカバーするＲＦ信号を発信可能である。前記制御モジュールと通信モジュールは、筐体の内部に設けられるか、筐体の外部に設けられる。
【００１３】
上記の方案では、例えば、前記近距離無線識別モジュールをＲＦＩＤリーダライタとし、電子タグをＲＦＩＤタグとすればよい。前記ＲＦＩＤリーダライタは、アンテナを通じて所定周波数の信号を持続的に発信し、クローゼットの内部全体をカバーする。ＲＦＩＤタグは磁場に進入すると、チップに記憶されている衣類情報コードを誘導電流により得られたエネルギーによって送信する。すると、ＲＦＩＤリーダライタが情報を読み取ってデコードしたあと、データを制御モジュールに伝送することで関連のデータ処理が行われる。
【００１４】
好ましくは、前記クローゼットは、前記着衣提案情報を表示するための表示デバイスを更に含む。
【００１５】
好ましくは、前記クローゼットは、前記制御モジュールに電気的に接続されるスピーカを更に含む。当該スピーカは、ユーザに対し前記着衣提案情報をチェックするよう音声で提示したり、及び／又は、前記着衣提案情報を音声でアナウンスしたりする。
【００１６】
上記の方案では、スピーカを設けることでクローゼットのスマート化レベルが向上し、ユーザエクスペリエンスが良好となる。
【００１７】
本発明は、更に、前記クローゼットに応用される制御方法を提供する。当該方法において、制御モジュールは、着衣条件情報を受信すると、近距離無線識別モジュールがクローゼット内の全ての衣類の衣類情報を取得するよう制御するとともに、前記着衣条件情報と各衣類情報に基づきデータ分析処理を行うことで、前記着衣条件を満たす着衣提案情報を取得してユーザに提示する。
【００１８】
好ましくは、前記着衣条件情報は、ユーザが入力する衣類使用場面情報を含む。前記制御モジュールは、前記衣類使用場面情報に基づいて着衣の提案を取得する。好ましくは、前記着衣条件情報は、通信モジュールが取得する現在の着衣流行情報及び／又は天気予報情報を更に含む。
【００１９】
好ましくは、前記制御モジュールは、各着衣条件情報に基づき、ユーザが選択できるよう複数の着衣プランを取得する。前記制御モジュールは、ユーザの選択結果に基づいてユーザの着衣の好みを分析するとともに、ユーザの着衣の好みに基づいて、その後に推薦する着衣プランを適正化する。
【００２０】
好ましくは、上記のその後に推薦する着衣プランを適正化する際に、制御モジュールはユーザの着衣の好みに基づいて、ユーザが好む着衣プランを優先的に推薦する。好ましくは、前記制御モジュールは、前記複数の着衣プランをユーザの好みに基づいて降順に並べ替え、ユーザに推薦する。
【００２１】
好ましくは、前記制御モジュールは、更に、ユーザの好みに基づきユーザの好みに合う新作衣類をユーザに推薦して、ユーザが選択及び購入するよう提示する。好ましくは、前記制御モジュールは、関連の着衣提案情報を未取得の場合には、通信モジュールが取得した新作衣類情報に基づいて上記のユーザの好みに合う新作衣類をユーザに推薦し、ユーザが選択及び購入するよう提示する。
【発明の効果】
【００２２】
本発明では、検出した衣類収納装置内の衣類情報と着衣条件情報をマッチングし、関連の着衣提案情報をユーザに提示する。これにより、生活が便利となり、適切な着衣の選択が補助されるため、ユーザによる衣類選択の時間が大幅に短縮される。
【００２３】
以下に、図面を組み合わせて、本発明の具体的実施形態につき更に詳細に述べる。
【００２４】
図面は本願の一部として、本発明の更なる理解のために提供される。本発明の概略的実施例及びその説明は本発明の解釈のために用いられるが、本発明を不当に限定するものではない。なお、言うまでもなく、以下で記載する図面は実施例の一部にすぎず、当業者であれば、創造的労働を要することなくこれらの図面からその他の図面を得ることも可能である。
【図面の簡単な説明】
【００２５】
【図１】図１は、本発明の実施例３におけるクローゼットの制御方法の制御フローである。
【図２】図２は、本発明の実施例４におけるクローゼットの制御方法の制御フローである。
【発明を実施するための形態】
【００２６】
なお、これらの図面及び文字記載は何らかの方式で本発明の構想の範囲を制限するとの意図ではなく、特定の実施例を参照して当業者に本発明の概念を説明するためのものである。
【００２７】
本発明における実施例の目的、技術方案及び利点をより明確とすべく、以下に、本発明の実施例にかかる図面を組み合わせて、実施例の技術方案につき明瞭簡潔に述べる。なお、以下の実施例は本発明を説明するためのものであって、本発明の範囲を制限するものではない。
【００２８】
本発明の記載において、「上」、「下」、「内」、「外」等の用語で示される方向又は位置関係は、図示に基づく方向又は位置関係であって、本発明の記載の便宜上及び記載の簡略化のためのものにすぎず、対象となる装置又は部材が特定の方向を有し、且つ特定の方向で構成及び操作されねばならないことを明示又は暗示するものではない。よって、本発明を制限するものと理解すべきではない。
【００２９】
本発明の記載において、別途明確に規定及び限定しない限り、「装着する」、「接続する」との用語は広義に解釈すべきである。例えば、固定接続であってもよいし、取り外し可能な接続であってもよいし、一体接続であってもよい。また、機械的な接続であってもよいし、電気的な接続であってもよい。更には、直接的な連なりであってもよいし、中間媒体を介した間接的な連なりであってもよい。当業者であれば、具体的状況に応じて本発明における上記用語の具体的意味を理解可能である。
【実施例１】
【００３０】
本実施例は、衣類収納装置に設置可能なスマート着衣提示装置を提供する。当該スマート着衣提示装置は、衣類収納装置内の衣類に固定された電子タグに記憶されている衣類情報を読み取る近距離無線識別モジュールと、通信接続することで着衣条件情報を取得する通信モジュールと、前記近距離無線識別モジュールと通信モジュールに接続され、通信モジュールが取得した着衣条件情報と、近距離無線識別モジュールが読み取った衣類情報に基づいてデータ分析処理を行い、関連の着衣提案情報を取得してユーザに提示する制御モジュール、を含む。
【００３１】
好ましくは、前記着衣条件情報は、着衣に影響する外的要因情報と、ユーザ自身の主観的着衣ニーズを含む。例えば、ユーザはスマート端末を通じて、衣類の使用場面情報、季節情報、着衣スタイル情報といった主観的な着衣要求情報を入力可能である。
【００３２】
好ましくは、更にクラウドサーバを含む。前記制御モジュールは通信モジュールを介してクラウドサーバと通信接続し、前記クラウドサーバはスマート端末と通信接続する。前記制御モジュールは、取得した関連の着衣提案情報をスマート端末にクラウドサーバを通じてプッシュ送信し、ユーザに提示する。
【００３３】
好ましくは、前記電子タグ内には衣類に対応する衣類情報コードが記憶されている。前記衣類情報コードとは、衣類の各種属性情報をそれぞれ表す複数のサブコードを直列に組み合わせて形成される総情報コードである。前記制御モジュールは、近距離無線識別モジュールから送信された各電子タグ内に記憶されている衣類情報コードを受信すると、前記各衣類情報コードを前記複数のサブコードにそれぞれ分解する。そして、各サブコードについて具体的情報をマッチングすることで、各衣類情報コードが表す具体的な衣類情報を取得する。
【００３４】
上記の方案において、当該衣類情報コードは、衣類情報を属性に基づき複数の属性情報に分割し、それぞれをコード形式で電子タグに記憶するものである。よって、衣類情報の記憶方式のルール化に都合がよく、任意の衣類の記憶及び定義を可能とする。当該方法はシンプル且つ実用的であり、普及に値する。また、各データ情報をコード形式で記憶することで、衣類情報の記憶容量が節約される。よって、従来の記憶方式と比較して、本方案によれば小さな記憶空間に多くの衣類情報が記憶される。
【００３５】
また、近距離無線識別モジュールは、当該衣類情報コードを読み取ったあと、当該情報コードが表す属性別に当該情報コードを複数のサブコードに分解し、それぞれ翻訳することで、最終的に具体的な衣類情報を取得可能である。
【００３６】
好ましくは、前記スマート着衣提示装置は、具体的な各サブコードと、これらが表す具体的な衣類属性情報との対応関係を記憶する記憶モジュールを更に含む。前記制御モジュールは、前記対応関係に基づいて、衣類情報コードの各サブコードが表す具体的な属性情報をマッチングする。
【００３７】
一方、衣類の電子タグに記憶される衣類情報コードには複数のサブコードが含まれている。各サブコードは、各々が表す属性情報自体の種別数に応じて異なる長さのコード形式を使用する。前記スマート着衣提示装置には、各サブコードが使用する長さのフォーマットパラメータが記憶されている。近距離無線識別モジュールは、前記衣類情報コードを取得したあと、前記長さのフォーマットパラメータに基づいて衣類情報コードを複数のサブコードに分解する。
【００３８】
上記の方案において、各サブコードは、各々が表す属性情報自体の種別数に応じて異なる長さのコード形式を使用する。本設計は合理的であり、記憶空間の更なる節約となる。例えば、衣類は材質情報とメーカー情報を含む。現在のところ、衣類の材質の種別データ数はメーカー数に遠く及ばないため、記憶空間を割り当てる際に、メーカー情報に割り当てる記憶空間を材質情報の記憶空間よりも大きくすることがより合理的である。なお、言うまでもなく、各種データ情報に割り当てる記憶空間を現時点の当該データ情報自体の総種別数よりも大きくし、余剰空間を保持してもよい。これにより、将来的な当該分野の情報増加に備えることもできる。例えば、現時点で材質となり得る種別数がＭ個の場合、材質データに割り当てる記憶空間に記憶可能なコードにはＭ種類よりも多くの異なる変化が生じ得る。そのため、当該記憶空間は、現時点における全ての織物の材質情報を完全に提示可能なだけでなく、将来的により多くの新たな織物材質を有する可能性がある。よって、当該記憶空間には余裕を持たせておけばよい。
【００３９】
一方で、本方案は、割り当てる各種属性情報の記憶空間を現時点における当該各種属性情報自体の種別数よりも大きくせねばならないとは限らず、各種属性情報を何らかのルールに基づいて更に複数の小分類に分割してもよい。この場合、各種属性情報に割り当てられる記憶空間の記憶量は、各々の複数の小分類を区分できさえすればよい。例えば、織物の材質情報は、ジュート、ラミー、ウール、兎毛、蚕糸、クモ糸、ポリエステル、ナイロン、アクリル等を含む。そのため、材質の属性に基づいて、各材質を麻類材質（ジュート、ラミー）、毛類材質（ウール、兎毛）、糸類材質（蚕糸、クモ糸）、化繊類材質（ポリエステル、ナイロン、アクリル）に分割することができる。この場合には、例えば、００が麻類材質、０１が毛類材質、１０が糸類材質、１１が化繊類材質を表すというように、織物の材質情報に２ビットを割り当てればよい（これらの例示は説明及び解釈のためのものにすぎず、本発明の技術方案を限定するものではない）。
【００４０】
好ましくは、前記サブコードは、材質情報コード、色情報コード、種別情報コード、規格情報コード、メーカー情報コードを含む。各情報コードは、上位から下位に向かって順に電子タグに保存される。前記近距離無線識別モジュールは、前記衣類情報コードを読み取ると制御モジュールに送信する。制御モジュールは、当該衣類情報コードを、材質情報コード、色情報コード、種別情報コード、規格情報コード、メーカー情報コードに上位から下位へと順に分解し、各サブコードが表す衣類属性情報を順に翻訳する。
【００４１】
制御モジュールは、前記着衣条件情報と前記各サブコードが表す具体的な衣類属性情報に基づいて、着衣条件情報の要求を満たす衣類をマッチングする。
【実施例２】
【００４２】
本実施例は、実施例１のスマート着衣提示装置が設けられたクローゼットを提供する。前記クローゼットは、衣類を保管する筐体を含む。前記近距離無線識別モジュールは、筐体の内部に設けられて、筐体の内部空間全体をカバーするＲＦ信号を発信可能である。前記制御モジュールと通信モジュールは、筐体の内部に設けられるか、筐体の外部に設けられる。
【００４３】
上記の方案において、例えば、前記近距離無線識別モジュールをＲＦＩＤリーダライタとし、電子タグをＲＦＩＤタグとすればよい。前記ＲＦＩＤリーダライタは、アンテナを通じて所定周波数の信号を持続的に発信する。ＲＦＩＤタグは磁場に進入すると、チップに記憶されている衣類情報コードを誘導電流により得られたエネルギーによって送信する。すると、ＲＦＩＤリーダライタが衣類情報コードを読み取り、制御モジュールに伝送することで関連のデータ処理が行われる。
【００４４】
好ましくは、前記筐体の外表面には表示装置が設けられており、上述した関連の着衣提案情報を表示してユーザに提示する。
【００４５】
好ましくは、前記クローゼットは、前記制御モジュールに電気的に接続されるスピーカを更に含む。当該スピーカは、ユーザに対し前記着衣提案情報をチェックするよう音声で提示したり、及び／又は、前記着衣提案情報を音声でアナウンスしたりする。
【００４６】
上記の方案では、スピーカを設けることでクローゼットのスマート化レベルが向上し、ユーザエクスペリエンスが良好となる。
【実施例３】
【００４７】
本実施例は、実施例２のクローゼットに応用される制御方法を提供する。当該方法は、以下を含む。
【００４８】
制御モジュールは、着衣条件情報を受信すると、近距離無線識別モジュールがクローゼット内の全ての衣類の衣類情報を取得するよう制御する。そして、前記着衣条件情報と各衣類情報に基づきデータ分析処理を行うことで、前記着衣条件を満たす着衣提案情報を取得してユーザに提示する。
【００４９】
好ましくは、前記着衣条件情報は、ユーザが入力する衣類使用場面情報を含む。前記制御モジュールは、前記衣類使用場面情報に基づいて着衣の提案を取得する。
【００５０】
好ましくは、前記着衣条件情報は、通信モジュールが取得する現在の着衣流行情報及び／又は天気予報情報を更に含む。
【００５１】
好ましくは、前記制御モジュールは、各着衣条件情報に基づき、ユーザが選択できるよう複数の着衣プランを取得する。また、前記制御モジュールは、ユーザの選択結果に基づいてユーザの着衣の好みを分析するとともに、ユーザの着衣の好みに基づいて、その後に推薦する着衣プランを適正化する。
【００５２】
好ましくは、上記のその後に推薦する着衣プランを適正化する際に、制御モジュールは、ユーザの着衣の好みに基づいてユーザが好む着衣プランを優先的に推薦する。
【００５３】
好ましくは、前記制御モジュールは、前記複数の着衣プランをユーザの好みに基づいて降順に並べ替え、ユーザに推薦する。
【００５４】
好ましくは、更に、前記制御モジュールは、更に、ユーザの好みに基づいてユーザの好みに合う新作衣類をユーザに推薦し、ユーザが選択及び購入するよう提示する。
【００５５】
好ましくは、前記制御モジュールは、関連の着衣提案情報を未取得の場合には、通信モジュールが取得した新作衣類情報に基づいて、上記のユーザの好みに合う新作衣類をユーザに推薦し、ユーザが選択及び購入するよう提示する。
【００５６】
具体的に、本実施例において、クローゼットの制御方法は以下のステップを含む。
【００５７】
Ｓ１：ユーザは、スマート端末を制御して着衣条件情報を入力し、確認する。
【００５８】
Ｓ２：制御モジュールは、ユーザが入力した情報を受信すると、通信モジュールが着衣流行情報及び／又は天気予報情報及び／又はその他の着衣条件情報を取得するよう制御する。
【００５９】
Ｓ３：制御モジュールはデータ分析処理を行い、各着衣条件情報の要求を満たす着衣提案情報を取得する。
【００６０】
Ｓ４：制御モジュールは、通信モジュールを通じて当該着衣提案情報をクラウドサーバに送信する。クラウドサーバは情報を受信すると、当該情報をスマート端末にプッシュ送信する。
【実施例４】
【００６１】
実施例４では、実施例３を元に、着衣条件情報が天気予報情報を含む場合の制御過程について述べる。
【００６２】
制御モジュールは、ユーザからの命令を受信すると（着衣の提案取得を要求する命令）、通信モジュールが天気予報情報（即ち、着衣条件情報）を取得するよう制御するとともに、近距離無線識別モジュールがクローゼット内の全ての衣類の衣類情報を取得するよう制御する。そして、天気予報情報と各衣類情報に基づいてデータ分析処理を行い、着衣提案情報を取得してユーザに提示する。
【００６３】
好ましくは、前記制御モジュールは、天気予報情報の季節情報及び／又は気温情報及び／又は降雨量情報及び／又は降雪量情報に基づき、衣類情報を組み合わせて、着衣提案情報及び／又は着衣コーディネート提案情報及び／又は衣類購入提案情報を生成する。そして、前記提案情報を表示装置又はスマート端末にプッシュ送信してユーザに提示する。
【００６４】
上記の方案において、例えば、制御モジュールは、季節情報と当日の気温情報に基づいて、季節及び気温にマッチするようクローゼット内の衣類を選択し、ユーザに着衣を提示する。また、制御モジュールは、天気予報の降雨量情報と気温情報に基づいて当日のその後の天気状況を取得するとともに、当該天気状況に基づいて厚手の衣類を目的の衣類として選択し、当該目的の衣類をユーザが選択するよう提示してもよい。
【００６５】
好ましくは、前記制御モジュールは、毎日決まったタイミングで着衣提案情報を取得してユーザに提示する。例えば、朝の時間帯に、制御モジュールはスマート端末及び／又は表示装置及び／又はスピーカを通じてその日の着衣の提案をユーザに提示する。
【００６６】
更に、ユーザの休息に影響を及ぼさないよう、前記クローゼットにはトリガキーが設けられている。当該トリガキーは、ユーザから刺激を受けると制御モジュールを活性化させる。すると、制御モジュールは、通信モジュールが天気予報情報を取得するよう制御するとともに、近距離無線識別モジュールがクローゼット内の全ての衣類の衣類情報を取得するよう制御する。そして、天気予報情報と各衣類情報に基づいてデータ分析処理を行い、着衣提案情報を取得して、表示装置及び／又はスピーカ／スマート端末を通じてユーザに提示する。
【００６７】
好ましくは、制御モジュールは、前記天気予報情報が予め定められたトリガ条件を満たしているか否かを判断し、判断結果がＹＥＳの場合には、前記提案情報を取得してユーザに提示するよう制御する。
【００６８】
好ましくは、前記制御モジュールは、前記天気予報情報が予め定められたトリガ条件を満たしているか否かを判断する際に、天気予報情報に基づいて、その後一定時間内の気温の変動幅、又は降雨量の変動幅、又は降雪量の変動幅が所定の変動範囲に達しているか否かを計算する。そして、判断結果がＹＥＳの場合には、前記天気予報情報が予め定められたトリガ条件を満たしていると判断し、ＮＯの場合には、前記天気予報情報が予め定められたトリガ条件を満たしていないと判断する。
【００６９】
上記の方案において、天気の変動が大きくない場合、ユーザは着衣を変える必要がないため、着衣の提案を取得してユーザに提示しなくともよい。これにより、ユーザを煩わせることがなくなるため、ユーザエクスペリエンスが良好となる。一方、天気の変動が大きい場合には、着衣の提案を取得してユーザに提示する。これにより、当該クローゼットのスマート化が体現されるとともに、機械的に無駄な情報を提示することがなくなり、クローゼットのスマート提示作用が際立つ。
【００７０】
好ましくは、上記の天気予報情報と各衣類情報に基づいてデータ分析処理を行い、着衣提案情報を取得してユーザに提示する際には、前記制御モジュールが、前記天気予報情報に基づいて対応する着衣パラメータを生成する。前記着衣パラメータは、衣類の各種属性情報を含む。前記制御モジュールは、前記着衣パラメータをクローゼット内の各衣類の衣類情報とそれぞれ比較及びマッチングし、衣類情報が着衣パラメータと一致する少なくとも１着の衣類を目的の衣類として取得する。そして、当該目的の衣類の衣類情報をユーザにプッシュ送信し、ユーザが選択及び着用するよう提案する。
【００７１】
好ましくは、衣類情報が前記着衣パラメータと一致する目的の衣類を得られない場合には、ユーザに対し衣類を購入又は追加するよう提示する。また、ユーザが衣類を購入する際の参照情報として前記着衣パラメータをユーザにプッシュ送信する。
【００７２】
このとき、当該クローゼットはユーザに対し衣類の購入を勧めることができる。また、現在の流行傾向に応じてユーザに購入提案ができるため、本当の意味でユーザの実情に応じてユーザが求める衣類を推薦することができる。
【００７３】
上述したように、図２を参照して、前記クローゼットの制御方法は、以下のステップを含む。
【００７４】
Ｓ２０１：通信モジュールは、天気予報情報を取得して制御モジュールに送信する。
【００７５】
Ｓ２０２：制御モジュールは、前記天気予報情報が予め定められたトリガ条件を満たしているか否かを判断し、判断結果がＹＥＳの場合にはステップＳ２０３に進み、ＮＯの場合にはステップＳ２０１に進む。
【００７６】
Ｓ２０３：天気予報情報と各衣類情報に基づいてデータ分析処理を行い、着衣提案情報を取得してユーザに提示する。
【００７７】
本実施例では、検出した衣類収納装置内の衣類情報と天気予報情報をマッチングし、関連の着衣提案情報をユーザに提示する。これにより、生活が便利となり、適切な着衣の選択が補助されるため、ユーザによる衣類選択の時間が大幅に短縮される。
【００７８】
以上は本発明の好ましい実施例にすぎず、本発明を何らかの形式に限定するものではない。本発明については好ましい実施例によって上記のように開示したが、本発明を限定するとの主旨ではない。本発明の技術方案を逸脱しない範囲において、当業者が上記で提示した技術内容を用いて行うわずかな変形或いは補足は、同等に変形された等価の実施例とみなされ、いずれも本発明の技術方案の内容を逸脱するものではない。また、本発明の技術的本質に基づいて上記の実施例に加えられる簡単な修正、同等の変形及び補足は、いずれも本発明の方案の範囲内とされる。
【図１】
2020523669.tif 000003
【図２】
2020523669.tif 000004
【国際調査報告】
2020523669.tif 000005
2020523669.tif 000006
2020523669.tif 000007
2020523669.tif 000008